(57)【要約】      （修正有）【課題】小型貨物車であっても多種類の杖を簡単に陳列して販売でき、さらに、購入者の購買意欲を惹起できる構造を有した枕専用移動販売車を提供する。【解決手段】車体９の前側に設けられ、運転席を有する前席列と、前席列の後側に設けられた荷台９１と、荷台９１に配置される複数の陳列プレート部１を備え、複数の陳列プレート部１は、陳列面１ａが車体の左右方向９ｃに向くように配置する。また、移動販売車は、さらに、陳列面１ａに複数の杖４を保持するための複数のホルダー部２と、陳列プレート部１を車体の前後方向９ａにスライドして、荷台９１の内側と外側とに配置するための複数のスライド手段３とを備える。【選択図】図２
0003179065.tif 000002
【実用新案登録請求の範囲】
【請求項１】
車体の前側に設けられ、運転席を有する前席列と、前記前席列の後側に設けられた荷台と、を備えた貨物自動車からなる移動販売車において、
前記荷台に配置される複数の陳列プレート部を備え、前記複数の陳列プレート部は、前記車体の左右方向に沿って並べられ、陳列面が前記車体の左右方向に向くように配置されており、
前記移動販売車は、さらに、前記陳列面に複数の杖を保持するための複数のホルダー部と、前記陳列プレート部を前記車体の前後方向にスライドして、前記荷台の内側と外側とに配置するための複数のスライド手段と、を備え、
前記複数のスライド手段は、前記荷台の上面部に設けられ、前記車体の前後方向に延設され、かつ、前記車体の左右方向に沿って並べられた複数のガイドレール部と、前記複数の陳列プレート部の上端部に設けられ、前記ガイドレール部に沿って案内されるスライダー部と、を備えていることを特徴とする杖専用移動販売車。
【請求項２】
前記複数のホルダー部は、前記複数の杖が前記車体の上下方向に延設して保持されるように、前記陳列面の上下側に設けられていることを特徴とする請求項１に記載の杖専用移動販売車。
【請求項３】
スライド式に開閉する後ドアを備えており、前記後ドアを開くと、前記荷台の内側に配置された前記陳列プレート部の前記陳列面が現れることを特徴とする請求項１又は２に記載の杖専用移動販売車。
【請求項４】
前記陳列プレート部のスライドを案内するためのガイド手段を備えており、
前記ガイド手段は、前記荷台の下面部に設けられ、前記車体の上方向に突出するピン部と、前記陳列プレート部の下端部に設けられ、前記車体の前後方向に延設され、前記ピン部が嵌るように構成された溝部と、を備えることを特徴とする請求項１〜３のいずれかに記載の杖専用移動販売車。
【考案の詳細な説明】
【技術分野】
【０００１】
本考案は、複数かつ多種類の杖を運んで販売するための杖専用移動販売車に関する。
【背景技術】
【０００２】
近年では、高齢化が進んでいるので、多数の高齢者が杖を必要とし、また、目の不自由な障害者も杖を必要としている。現在、各高齢者や障害者が、自分に合った杖を選んで購入するためには、店舗まで出かけて、店舗に陳列されている多数の杖から選んで購入する必要がある。ところが、店舗が遠方や不慣れな場所にある場合、杖を必要とする高齢者や障害者は、店舗まで出かけることが非常に大変で危険な場合がある。
【０００３】
ところで、杖は細長い形状なので、販売者は、複数の杖を収納箱に収納して、貨物自動車で自宅や自宅付近まで運ぶことができる。そして、移動先で、販売者は、収納箱に収納された多種類の杖を陳列して、購入者が簡単に自分に合った杖を選ぶことができるようにする。しかし、これでは、販売者は、多数の杖を出し入れする必要があり、非常に面倒な作業を必要とする。また、移動先によっては、多数の杖を陳列するスペースがない場合があり、その場合、多数の杖を陳列できないので、購入者は、収納箱に収納された多数の杖から、自分に合った杖を選ばなければならず、探す手間がかかり、店舗と同じように購入することは難しかった。さらに、単に多種類の杖を地面に並べて販売するだけでは、従来の移動販売と何ら変わることがないので、購入者に対してインパクトを与えることができず、購買意欲を惹起できないという問題があった。
【０００４】
現在では、様々な商品を運んで、移動先で販売するための移動販売車がある。例えば特許文献１に開示された衣類移動販売車は、多数の衣類を運んで、移動先で販売できるように構成されている。この移動販売車には、車体の荷台に衣類を懸吊するためのハンガーラック、衣類を展示するための陳列棚、テーブル及び衣類収納棚が設けられている。これにより、購入者は、店舗と同じように、自宅付近で、荷台に陳列された衣類を確認しながら購入できる。
【０００５】
しかし、従来の移動販売車は、荷台に商品を陳列できるように構成されているが、多数の商品を陳列して販売するには、非常に大きな荷台スペースを必要とし、その結果、移動販売車を大型化する必要がある。即ち、移動販売車が、例えば小型貨物車の場合であっても、多数の商品を陳列できるようには工夫されていない。特に販売する商品が杖の場合において、多数の杖を陳列して販売できると共に、高齢者の購入意欲を惹起できるという移動販売車はない。
【先行技術文献】
【特許文献】
【０００６】
【特許文献１】実開昭６１−８７７４５号公報
【考案の概要】
【考案が解決しようとする課題】
【０００７】
そこで、本考案が解決しようとする課題は、小型貨物車であっても多種類の杖を簡単に陳列して販売でき、さらに、購入者の購買意欲を惹起できるように工夫された杖専用移動販売車を提供することにある。
【課題を解決するための手段】
【０００８】
上記課題を解決するために、本考案に係る杖専用移動販売車は、
車体の前側に設けられ、運転席を有する前席列と、前席列の後側に設けられた荷台と、を備えた貨物自動車からなる移動販売車において、
荷台に配置される複数の陳列プレート部を備え、複数の陳列プレート部は、車体の左右方向に沿って並べられ、陳列面が車体の左右方向に向くように配置されており、
移動販売車は、さらに、陳列面に複数の杖を保持するための複数のホルダー部と、陳列プレート部を車体の前後方向にスライドして、荷台の内側と外側とに配置するための複数のスライド手段と、を備え、
複数のスライド手段は、荷台の上面部に設けられ、車体の前後方向に延設され、かつ、車体の左右方向に沿って並べられた複数のガイドレール部と、複数の陳列プレート部の上端部に設けられ、ガイドレール部に沿って案内されるスライダー部と、を備えている。
【０００９】
好ましくは、
複数のホルダー部は、複数の杖が車体の上下方向に延設して保持されるように、陳列面の上下側に設けられている。
【００１０】
好ましくは、
スライド式に開閉する後ドアを備えており、後ドアを開くと、荷台の内側に配置された陳列プレート部の陳列面が現れる。
【００１１】
好ましくは、
陳列プレート部のスライドを案内するためのガイド手段を備えており、
ガイド手段は、荷台の下面部に設けられ、車体の上方向に突出するピン部と、陳列プレート部の下端部に設けられ、車体の前後方向に延設され、ピン部が嵌るように構成された溝部と、を備える。
【考案の効果】
【００１２】
本考案に係る杖専用移動販売車は、上記の通り、荷台に配置される複数の陳列プレート部を備える。複数の陳列プレート部は、陳列面が車体の左右方向に向くように配置され、車体の左右方向に沿って並べられている。また、移動販売車は、陳列面に複数の杖を保持するための複数のホルダー部と、陳列プレート部を車体の前後方向にスライドして、荷台の内側と外側とに配置するための複数のスライド手段と、を備える。
【００１３】
そして、複数のスライド手段は、荷台の上面部に設けられ、車体の前後方向に延設され、かつ、車体の左右方向に沿って並べられた複数のガイドレール部と、陳列プレート部の上端部に設けられ、ガイドレール部に沿って案内されるスライダー部と、を備える。
【００１４】
これによって、本考案に係る杖専用移動販売車は、複数の陳列プレート部を荷台の外側に配置すると、陳列面に保持された複数の杖を陳列した状態で引き出すことができる。その結果、本考案に係る杖専用移動販売車は、移動先で多数の杖を簡単に陳列して販売できる。そして、陳列プレート部を荷台の外側に引き出すと、陳列された多数の杖が荷台から現れるので、購入者に非常に大きなインパクトを与えることができ、その結果、購入者の購買意欲を大幅に惹起できる。
【図面の簡単な説明】
【００１５】
【図１】本考案に係る杖専用移動販売車を示す側面図。
【図２】車体の後側から見た杖専用移動販売車を示す斜視図。
【図３】荷台の内側を示す側面図。
【図４】車体の後側から見た荷台の内側を示す正面図。
【図５】荷台の内側を示す平面図。
【考案を実施するための形態】
【００１６】
以下、図面に基づいて、本考案に係る杖専用移動販売車の実施形態を説明する。
【００１７】
図１及び図２に示す通り、杖専用移動販売車（以下、「移動販売車」という）は、小型貨物自動車（軽貨物自動車を含む）からなっている。移動販売車は、車体９の前側に、運転席を有する前席列９０を備える。移動販売車は、前席列９０の後側に、荷台９１を備える。移動販売車は、荷台９１に、複数の陳列プレート部１を備える。なお、移動販売車は、大型の貨物自動車であってもよい。
【００１８】
陳列プレート部１は、両面が、複数の杖４を陳列するための陳列面１ａとして構成される。複数の陳列プレート部１は、車体の左右方向９ｃに沿って並べられる。陳列プレート部１は、陳列面１ａが車体の左右方向９ｃに向くように配置される。
【００１９】
移動販売車は、陳列面１ａに、複数の杖４を保持するための複数のホルダー部２を備える。２つのホルダー部２が一組となって一本の杖４を保持する。本実施形態では、一組のホルダー部２は、陳列面１ａの上下側にそれぞれ設けられている。ホルダー部２は、凹状の弾性部材で構成されており、杖４を凹部に嵌め込んで、弾性力で把持することで、杖４が車体の上下方向９ｂに延設した状態で保持されるようになっている。そして、複数の一組のホルダー部２が、車体の前後方向９ａに沿って陳列面１ａに設けられており、複数の杖４を把持して、陳列面１ａに陳列できるようになっている。
【００２０】
なお、一組のホルダー部２を車体の前後方向９ａにそれぞれ設けて、杖４が車体の前後方向９ａに延設した状態で保持されるようにしてもよい。
【００２１】
移動販売車は、陳列プレート部１を車体の前後方向９ａにスライドして、荷台９１の内側と外側とに配置するための複数のスライド手段３を備える。各スライド手段３は、それぞれの陳列プレート部１に対応して設けられる。
【００２２】
移動販売車は、車体９の後側に、跳ね上げ式のハッチドア９３を備える。ハッチドア９３を開いて、荷台９１の内側に収納された陳列プレート部１をスライドすることで、陳列プレート部１を荷台９１の外側に引き出すことができるようになっている。陳列プレート部１を引き出すことによって、陳列面１ａに陳列された複数の杖４が荷台９１から現れるようになっており、簡単に多数の杖４を陳列できると共に、購入者に大きなインパクトを与えることができるので、購買意欲を惹起できる。
【００２３】
上記の通り、杖４を車体の前後方向９ａに延設するのではなく、杖４を車体の上下方向９ｂに延設することによって、陳列プレート部１の全部を引き出さなくても、購入者に各杖４の全体を見せることができる。
【００２４】
図１の通り、移動販売車は、車体９の後側に、車体の前後方向９ａにスライドして開閉する後ドア９２を備える。後ドア９２を開くと、荷台９１の内側に配置された陳列プレート部１の陳列面１ａが現れるようになっている。これによって、陳列プレート部１が荷台９１の内側に配置されていても、後ドア９２を開くことによって、購入者に多数の杖４を見せることができる。
【００２５】
図３及び図４の通り、本実施形態では、６つの陳列プレート部１が設けられている。陳列プレート部１は、周囲に枠部材１０を備える。各陳列プレート部１に対応して、陳列プレート部１をスライドするためのスライド手段３が設けられている。
【００２６】
スライド手段３は、荷台の上面部９１ａに設けられたガイドレール部３０を備える。本実施形態では、荷台の上面部９１ａは、荷台９１の内側の上面に取り付けられた枠部材からなる。ガイドレール部３０は、車体の前後方向９ａに延設されている。ガイドレール部３０は、各陳列プレート部１に対応して、車体の左右方向９ｃに並べられている。
【００２７】
スライド手段３は、ガイドレール部３０に沿って案内されるスライダー部３１を備える。スライダー部３１は、枠部材１０を介して、陳列プレート部１の上端部に設けられる。本実施形態では、スライダー部３１は、ガイドレール部３０に嵌め込まれたコロからなる。スライダー部３１がガイドレール部３０に沿って案内されることによって、陳列プレート部１を車体の前後方向９ａにスライドできる。
【００２８】
さらに、移動販売車は、陳列プレート部１のスライドを案内するためのガイド手段５を備える。ガイド手段５は、それぞれの陳列プレート部１に設けられている。ガイド手段５は、荷台の下面部９１ｂに設けられたピン部５１を備える。ピン部５１は、車体９の上方向に突出している。各陳列プレート部１に対応して、２本のピン部５１が、車体の前後方向９ａに所定間隔を置いて配置されている。本実施形態では、荷台の下面部９１ｂは、荷台９１の内側の下面に取り付けられた枠部材からなる。
【００２９】
ガイド手段５は、枠部材１０を介して、陳列プレート部１の下端部に設けられた溝部５０を備える。溝部５０は、車体の前後方向９ａに延設されている。そして、ピン部５１は、溝部５０に嵌るようになっている。ピン部５１が溝部５０に嵌った状態で、陳列プレート部１がスライドされるので、陳列プレート部１は、左右に揺れることなく安定的にスライされ得る。
【００３０】
さらに、溝部５０が陳列プレート部１の後側で貫通しないようになっており、陳列プレート部１を引き出すときに、溝部５０の終端にピン部５１が当たり、その結果、陳列プレート部１の移動を規制でき、かつ、陳列プレート部１の抜け落ちを防止できる。
【００３１】
図５の通り、移動販売車は、荷台９１の前面に、複数のクッション部９１ｃを備える。各クッション部９１ｃは、各陳列プレート部１に対応して設けられている。そして、陳列プレート部１を荷台９１の内側にスライドすると、陳列プレート部１がクッション部９１ｃに当たることで、衝撃が緩和され、所定位置に停止できるようになっている。
【００３２】
なお、本実施形態では、スライド手段３は、陳列プレート部１の上側にのみ設けられているが、他の実施形態として、陳列プレート部１の下側に、ガイド手段５ではなくストッパー付きのスライド手段３を設けてもよい。
【００３３】
本実施形態では、陳列プレート部１は、危険防止のため、開いたハッチドア９３の後端部よりも外側に飛び出ないように、ピン部５１及び溝部５０で位置規制されており、陳列プレート部１の約半分の長さだけ荷台９１の外側に配置できるように構成されている。なお、他の実施形態として、陳列プレート部１の全部を荷台９１の外側に引き出すことができるように構成してもよい。
【符号の説明】
【００３４】
１  陳列プレート部
１ａ  陳列面
２  ホルダー部
３  スライド手段
３０  ガイドレール部
３１  スライダー部
４  杖
５  ガイド手段
５０  溝部
５１  ピン部
９  車体
９ａ  車体の前後方向
９ｂ  車体の上下方向
９ｃ  車体の左右方向
９０  前席列
９１  荷台
９１ａ  荷台の上面部
９１ｂ  荷台の下面部
９２  後ドア
【図１】
0003179065.tif 000003
【図２】
0003179065.tif 000004
【図３】
0003179065.tif 000005
【図４】
0003179065.tif 000006
【図５】
0003179065.tif 000007